【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
第１のレイヤ［ｉ］に関連するピクチャと、複数のエンハンスメントレイヤに関連するエンハンスメントレイヤピクチャとを記憶するように構成されたメモリユニットと、
前記メモリユニットと通信しており、前記複数のエンハンスメントレイヤのうちの特定のエンハンスメントレイヤ［ｊ］との前記第１のレイヤ［ｉ］の各組合せに関連する変数max_tid_il_ref_pics_plus1［ｉ］［ｊ］に値を割り当てる、ここにおいて、前記複数のエンハンスメントレイヤの各々について、前記特定のエンハンスメントレイヤ［ｊ］に関連する前記変数max_tid_il_ref_pics_plus1［ｉ］［ｊ］の前記値よりも大きいかそれに等しい時間識別値を有する前記第１のレイヤ［ｉ］に関連する前記ピクチャは、前記特定のエンハンスメントレイヤ［ｊ］に関連する前記エンハンスメントレイヤピクチャのレイヤ間予測のために使用され得る、ように構成されたプロセッサとを備えるビデオエンコーダ。
【請求項２】
前記プロセッサは、
前記変数max_tid_il_ref_pics_plus1[i][j]の有無（presence or absence）に基づいて、ビデオパラメータセット（ＶＰＳ）拡張中で、max_tid_ref_present_flagをシグナリングするようにさらに構成された、請求項１に記載のビデオエンコーダ。
【請求項３】
前記プロセッサは、前記第１のレイヤ［ｉ］に関連する前記ピクチャが前記特定のエンハンスメントレイヤ［ｊ］に関連するピクチャのレイヤ間予測のために使用されないことに基づいて、前記変数max_tid_il_ref_pics_plus1［ｉ］［ｊ］に０の値を割り当てるように構成された、請求項１に記載のビデオエンコーダ。
【請求項４】
前記プロセッサは、前記第１のレイヤ［ｉ］に関連する前記ピクチャのすべてが前記特定のエンハンスメントレイヤ［ｊ］に関連するピクチャのレイヤ間予測のために使用されることに基づいて、前記max_tid_ref_present_flagを０に設定し、前記変数max_tid_il_ref_pics_plus1［ｉ］［ｊ］をシグナリングしないように構成された、請求項２に記載のビデオエンコーダ。
【請求項５】
ビデオを符号化する方法であって、前記方法は、
第１のレイヤ［ｉ］に関連するピクチャと、複数のエンハンスメントレイヤに関連するエンハンスメントレイヤピクチャとを記憶することと、
前記複数のエンハンスメントレイヤのうちの特定のエンハンスメントレイヤ［ｊ］との前記第１のレイヤ［ｉ］の各組合せに関連する変数max_tid_il_ref_pics_plus1［ｉ］［ｊ］に値を割り当てることと、ここにおいて、前記複数のエンハンスメントレイヤの各々について、前記特定のエンハンスメントレイヤ［ｊ］に関連する前記変数max_tid_il_ref_pics_plus1［ｉ］［ｊ］の前記値よりも小さいかそれに等しい時間識別値を有する前記第１のレイヤ［ｉ］に関連する前記ピクチャは、前記特定のエンハンスメントレイヤ［ｊ］に関連する前記エンハンスメントレイヤピクチャのレイヤ間予測のために使用され得る、を備える、方法。
【請求項６】
前記変数max_tid_il_ref_pics_plus1[i][j]の有無（presence or absence）に基づいて、ビデオパラメータセット（ＶＰＳ）拡張中で、max_tid_ref_present_flagをシグナリングすることをさらに備える、請求項５に記載の方法。
【請求項７】
前記第１のレイヤ［ｉ］に関連する前記ピクチャが前記特定のエンハンスメントレイヤ［ｊ］に関連するピクチャのレイヤ間予測のために使用されないことに基づいて、前記変数max_tid_il_ref_pics_plus1［ｉ］［ｊ］に０の値を割り当てることをさらに備える、請求項５に記載の方法。
【請求項８】
前記第１のレイヤ［ｉ］に関連する前記ピクチャのすべてが前記特定のエンハンスメントレイヤ［ｊ］に関連するピクチャのレイヤ間予測のために使用されることに基づいて、前記max_tid_ref_present_flagを０に設定し、前記変数max_tid_il_ref_pics_plus1［ｉ］［ｊ］をシグナリングしないことをさらに備える、請求項６に記載の方法。
【請求項９】
第１のレイヤ［ｉ］に関連するピクチャと、複数のエンハンスメントレイヤに関連するエンハンスメントピクチャとを記憶するように構成されたメモリユニットと、
前記メモリユニットと通信しており、前記第１のレイヤ［ｉ］に関連するピクチャが、前記複数のエンハンスメントレイヤのうちの特定のエンハンスメントレイヤ［ｊ］のレイヤ間予測のために、前記第１のレイヤ［ｉ］に関連するピクチャが前記第１のレイヤ［ｉ］および前記特定のエンハンスメントレイヤ［ｊ］の各組合せに関連する変数max_tid_il_ref_pics_plus1［ｉ］［ｊ］の値よりも小さいかそれに等しい時間識別値を有することに基づいて、使用され得ることを決定するように構成されたプロセッサとを備えるビデオデコーダ。
【請求項１０】
前記プロセッサが、前記変数max_tid_il_ref_pics_plus1[i][j]の有無（presence or absence）に基づいて、ビデオパラメータセット（ＶＰＳ）拡張中で、max_tid_ref_present_flagを受信するようにさらに構成された、請求項９に記載のビデオデコーダ。
【請求項１１】
前記プロセッサは、前記変数max_tid_ ref_present_plus1［ｉ］［ｊ］の値が０であることに基づいて、前記第１のレイヤ［ｉ］に関連する前記ピクチャを廃棄するように構成された、請求項９に記載のビデオデコーダ。
【請求項１２】
前記プロセッサは、前記max_tid_il_ref_pics_plus1［ｉ］［ｊ］が値０を有することに基づいて、前記第１のレイヤ［ｉ］に関連するすべてのピクチャが前記特定のエンハンスメントレイヤ［ｊ］に関連するピクチャのレイヤ間予測のために使用され得ると決定するように構成され、前記プロセッサは、前記変数max_tid_il_ref_pics_plus1［ｉ］［ｊ］に７の値を割り当てるようにさらに構成された、請求項１０に記載のビデオデコーダ。
【請求項１３】
ビデオを復号する方法であって、前記方法は、
第１のレイヤ［ｉ］に関連するピクチャと、複数のエンハンスメントレイヤに関連するエンハンスメントレイヤピクチャとを記憶することと、
前記第１のレイヤ［ｉ］に関連するピクチャが、前記複数のエンハンスメントレイヤのうちの特定のエンハンスメントレイヤ［ｊ］のレイヤ間予測のために、前記第１のレイヤ［ｉ］に関連するピクチャが、前記第１のレイヤ［ｉ］および前記特定のエンハンスメントレイヤ［ｊ］の各組合せに関連する変数max_tid_il_ref_pics_plus1［ｉ］［ｊ］の値よりも小さいかそれに等しい時間識別値を有することに基づいて、使用され得ることを決定することとを備える、方法。
【請求項１４】
前記変数max_tid_il_ref_pics_plus1［ｉ］［ｊ］の値が０であることに基づいて、前記第１のレイヤ［ｉ］に関連するピクチャを廃棄することをさらに備える、請求項１３に記載の方法。
【請求項１５】
値０を有するmax_tid_ref_present_flagを受信すること、および前記変数max_tid_il_ref_pics_plus1[i][j]に７の値を割り当てることに基づいて、前記第１のレイヤ［ｉ］に関連するピクチャのすべてが前記特定のエンハンスメントレイヤ［ｊ］に関連するピクチャのレイヤ間予測のために使用され得ると決定することをさらに備える、請求項１３に記載の方法。